(57)【要約】【課題】異なる撮影条件で撮影したときに得られる複数の画像を迅速に表示する。【解決手段】異なるシャッタ速度をモード選択操作部２４から入力する。指定したシャッタ速度のうちの一番速い方のシャッタ速度に相当するフレームレートで撮像センサ１３を駆動する。一番速い方のシャッタ速度で撮影したのと同じ効果が得られる画像を第１信号処理部３６で作る。並行して、遅い方のシャッタ速度で撮影したのと同じ効果が得られる画像を第２信号処理部３７で作る。第１及び第２信号処理部３６，３７でそれぞれ作成した画像を画像合成部３９で合成し、高速シャッタで撮影したのと同じ効果が得られる画像と、低速シャッタで撮影したのと同じ効果が得られる画像とをＬＣＤ３０の画面に同時に並べて表示する。【選択図】図１
2008300949.tif 000002
【特許請求の範囲】
【請求項１】
撮影レンズにより結像する被写体像を撮像する撮像センサと、前記撮像センサで撮像した被写体の画像をスルー画像として一画面全体に表示する外部表示部と、複数の撮影条件又は種類の異なる撮影条件を複数組み合わせた撮影モードを指定する指定操作部と、を備え、前記複数の撮影条件又は撮影モードで撮影したのと同じ効果が得られる複数の画像を前記外部表示部に並べて表示するカメラの画面制御装置において、
前記被写体の画像がそれぞれ入力され、前記被写体の画像に基づいて前記各撮影条件又は撮影モードで撮影したのと同じ効果が得られる複数の画像を並行して各々作る複数の信号処理部と、
前記各信号処理部から得られる複数の画像を表示する画像表示手段と、
を備えたことを特徴とするカメラの表示制御装置。
【請求項２】
前記指定操作部には、異なるシャッタ速度が指定されるとともに、
指定したシャッタ速度のうちの一番速いシャッタ速度に相当するフレームレートで撮像センサを駆動する手段を備え、
前記複数の信号処理部は、前記一番速い方のシャッタ速度で撮影したのと同じ効果が得られる画像を作る第１信号処理部と、遅い方のシャッタ速度で撮影したのと同じ効果が得られる画像を作る第２信号処理部と、を備えていることを特徴とする請求項１記載のカメラの表示制御装置。
【請求項３】
前記第１又は第２信号処理部は、前記撮像センサのフレームレートが前記外部表示部のフレームレートよりも速い場合、フレーム間引き処理を施して前記外部表示部と同じフレームレートの画像を作ることを特徴とする請求項２記載のカメラの表示制御装置。
【請求項４】
前記第１又は第２信号処理部は、前記遅い方のシャッタ速度に相当するフレームレートが前記外部表示部のフレームレートよりも遅い場合、フレーム加算処理を施して前記外部表示部と同じフレームレートの画像を作ることを特徴とする請求項２記載のカメラの表示制御装置。
【請求項５】
前記指定操作部には、異なる２つの絞り値が指定されるとともに、
前記指定した２つの絞り値のうちの値が大きい方の絞り値を前記メカシャッタにセットしたときに得られる第１画像と、前記小さい方の絞り値を前記メカシャッタにセットしたときに得られる第２画像と、をそれぞれ記憶する記憶部を備え、
前記複数の信号処理部のうちのいずれか一方の信号処理部には、前記第１画像が入力されるとともに、
前記他方の信号処理部には、
前記第１画像と前記第２画像とを比較して輪郭成分の変化が少ない範囲を主要被写体として抽出する主要被写体抽出部と、
前記第２画像に対して前記主要被写体以外の範囲にぼかし処理を施すフィルタ処理回路と、が設けられていることを特徴とする請求項２記載のカメラの表示制御装置。
【請求項６】
前記指定操作部には、露出補正値が指定されるとともに、
前記複数の信号処理部は、露出補正値に基づいて明るさの異なる画像を各々作ることを特徴とする請求項２記載のカメラの表示制御装置。
【請求項７】
前記指定操作部には、複数の撮影条件を組み合わせた撮影モードが複数指定され、
前記複数の信号処理部は、前記各撮影モードで撮影したと同じ効果が得られる画像を各々作るとともに、
撮影準備状態の時に、前記複数の撮影モードを構成する絞り値のうちの値の大きい方の絞り値を前記メカシャッタにセットし、かつ、一番速い方のシャッタ速度に相当するフレームレートで前記撮像センサを駆動するとともに、露出不足になるときにはＩＳＯ感度を上げて適正な露出に補正する手段を備えていることを特徴とする請求項２記載のカメラの表示制御装置。
【請求項８】
過去に選択した撮影モードを記憶する記憶部を備え、前記指定操作部には、記憶部から読み出した撮影モードのうちの頻度の高い撮影モードが順に指定されることを特徴とする請求項７記載のカメラの表示制御装置。
【請求項９】
前記指定操作部には、縦位置撮影又は横位置撮影が撮影条件として指定されるとともに、
前記複数の信号処理部は、予め決められた縦位置撮影画面を作る第１の信号処理部と、
予め決められた横位置撮影画面を作る第２の信号処理部と、で構成されていることを特徴とする請求項２記載のカメラの表示制御装置。
【請求項１０】
前記撮像センサの受光面が正方形になっていることを特徴とする請求項９記載のカメラの表示制御装置。
【請求項１１】
通常表示モードのときには、撮影レンズにより結像する被写体像を撮像センサで撮像して得られる画像をスルー画像として外部表示部の一画面全体に表示するとともに、確認表示モードのときには、指定操作部で指定した撮影条件又は撮影モードで撮影したのと同じ効果が得られる複数の画像を前記外部表示部に同時に並べて表示するカメラの画面制御方法において、
前記指定する撮影条件又は撮影モードの数に対応して信号処理部を複数設け、前記複数の信号処理部で各撮影条件又は撮影モードで撮影したと同じ効果が得られる複数の画像を並行して各々作る第１ステップと、
前記各信号処理部から得られる複数の画像を画像表示手段で前記外部表示部に表示する第２ステップと、を含み、
前記第１ステップは、
異なるシャッタ速度を撮影条件として前記指定操作部に指定し、指定したシャッタ速度のうちの一番速いシャッタ速度に相当するフレームレートで撮像センサを駆動するとともに、前記一番速い方のシャッタ速度で撮影したのと同じ効果が得られる画像を第１信号処理部で作り、かつ、遅い方のシャッタ速度で撮影したのと同じ効果が得られる画像を第２信号処理部で作るステップと、
異なる絞り値を撮影条件として前記指定操作部に指定し、指定した絞り値のうちの値の大きい方の絞り値を前記メカシャッタにセットして得られる画像を第１信号処理部でそのままスルー画出力し、また、これと並行して、指定した絞り値のうちの値の小さい方の絞り値で撮影したと同じ効果が得られる画像を第２信号処理部で作るステップと、
異なる露出補正値を撮影条件として前記指定操作部に指定し、指定した露出補正値に基づいて明るさの異なる画像を複数の信号処理部で各々作るステップと、
複数の撮影条件を組み合わせた撮影モードを前記指定操作部に複数指定し、各撮影モードで撮影したと同じ効果が得られる画像を複数の信号処理部で各々作るステップと、
縦位置撮影又は横位置撮影を撮影条件として前記指定操作部に指定することで、縦位置画面を第１信号処理部で作り、かつ、これと並行して横位置画面を第２信号処理部で作るステップと、
のうちのいずれか１または２以上のステップを備えていることを特徴とするカメラの表示制御方法。
【発明の詳細な説明】
【技術分野】
【０００１】
本発明は、撮像センサから得られる画像データに基づいて撮影に関する描写条件（以下「撮影条件」と称す）を変えた複数の画像を生成し、生成した複数の画像を本撮影の前に外部表示部の一画面内に同時に並べて表示するカメラの表示制御装置及び方法に関する。
【背景技術】
【０００２】
従来、電子カメラやビデオカメラでは、撮影準備状態において撮影レンズを通過する光束を単一の撮像センサで連続して撮像し、撮像した画像をＬＣＤ等の表示部に画面いっぱいに連続して表示している。
【０００３】
カメラには、一般的に、露出などの撮影条件を変えて複数撮影をする機能、例えば１回のシャッタレリーズによりその時点の被写体輝度に対して決められる露出値に対して１／２段〜１/３段ずつ露出をずらした複数枚の画像を自動的に連続撮影するオートブラケティング機能などが設けられている。しかし、このように撮影条件を変えた複数の画像を、撮影する前に確認したい、という要望が多い。
【０００４】
そこで、所望する撮影条件ごとに撮像した複数の画像を表示部の１画面に並べて同時に表示するようにしたカメラが提案されている（特許文献１）。
【０００５】
特許文献１に記載の写真用カメラでは、撮影光学系とは別にファインダ光学系を設け、ファインダ光学系により結像する被写体像をＣＣＤで撮像し、予め設定した撮影条件に基づいて、カメラに設けた電子ビューファインダー（ＥＶＦ）に撮像条件を変えた複数の画像を同時に表示している。ファインダ光学系には、ＣＣＤへの露光量を調節する絞り機構が設けられている。撮影条件として絞り値を変える場合にはその絞り機構を調節し、また、シャッタ速度を変える場合にはＣＣＤの積分時間を変える。撮影準備状態で撮影条件を指定する。その後その設定に応じて絞り機構やＣＣＤの積分時間を調節して時系列に撮像していく。撮影条件を変えた複数の画像データは時系列に取り込まれながら一時的にホールドされていく。そして、最後の画像データを取り込んだ後に、ＥＶＦの一画面に並べて表示される。
【特許文献１】特開平５−１１０９１２号公報
【発明の開示】
【発明が解決しようとする課題】
【０００６】
しかしながら、特許文献１に記載の発明では、撮影条件を変えた複数の画像をＣＣＤで時系列的に取り込むため、本撮影までに時間がかかる。これでは、刻々と変化するような動く被写体に対しては同じ瞬間の画像で同時に表示することができないという欠点がある。
【０００７】
本発明は、撮影条件を変えた複数の画像を迅速に表示することができるカメラの表示制御装置及び方法を提供する。
【課題を解決するための手段】
【０００８】
上記目的を達成するために、本発明では、撮像センサで撮像した被写体の画像に基づいて指定操作部で指定した撮影条件又はモードで撮影したと同じ効果が得られる複数の画像を並行して各々作る複数の信号処理部と、前記各信号処理部から得られる複数の画像を前記外部表示部に表示する画像表示手段と、を備えたものである。
【０００９】
シャッタ速度を変えると、シャッタースピードの違いにより被写体の動感は違ってくる。撮影条件としてシャッタ速度を指定する場合には、指定したシャッタ速度のうちの一番速いシャッタ速度に相当するフレームレートで撮像センサを駆動する手段を備える。そして、一番速い方のシャッタ速度で撮影したのと同じ効果が得られる画像を作る第１信号処理部と、遅い方のシャッタ速度で撮影したのと同じ効果が得られる画像を作る第２の信号処理部と、で複数の信号処理部を構成すればよい。
【００１０】
第１又は第２信号処理部では、一番速いシャッタ速度に相当する撮像センサのフレームレートが外部表示部のフレームレートよりも速い場合、フレーム間引き処理を施して外部表示部と同じフレームレートの画像を作ればよい。例えば撮像センサのフレームレートを「Ｍ」、外部表示部のフレームレートを「Ｎ」とすると、「Ｍ＞Ｎ」の場合、「Ｍ／Ｎ」の値と同じ数のフレームに相当する時間だけ各フレームの画像が表示されるようにフレーム間引き処理を行う。
【００１１】
逆に、遅い方のシャッタ速度に相当するフレームレートが外部表示部のフレームレートよりも遅い場合には、第１又は第２信号処理部で、フレーム加算処理を施して外部表示部と同じフレームレートの画像を作ればよい。例えば撮像センサのフレームレートを「Ｍ」、外部表示部のフレームレートを「Ｎ」、遅い方のシャッタ速度に相当するフレームレートを「Ｓ」とすると、「Ｓ＜Ｎ」の場合、「Ｍ／Ｓ」の値と同じ数のフレーム単位で画像を加算して１秒間に「Ｓ」の値と同じ数の画像を作成するフレーム加算処理を施し、「Ｓ」の値を逆数にした値の時間ごとに外部表示部に画像を更新する。なお、外部表示部としてはＬＣＤ（液晶表示部）やＣＲＴ（モニタ）を用いることができる。また、外部表示部としては複数でもよい。この場合、複数の信号処理で処理した画像を別々に表示してもよい。
【００１２】
絞り値（Ｆ値）を変えると、近景と遠景との被写体のボケをコントロールすることができる。撮影条件として絞り値を指定する場合には、指定操作部に異なる絞り値を指定する。この場合、指定した２つの絞り値のうちの値が大きい方の絞り値をメカシャッタにセットしたときに得られる第１画像と、前記小さい方の絞り値をメカシャッタにセットしたときに得られる第２画像と、をそれぞれ記憶する記憶部を備える。そして、複数の信号処理部のうちのいずれか一方の信号処理部には第１画像を入力し、また、前記他方の信号処理部には、前記第１画像と前記第２画像とを比較して輪郭成分の変化が少ない範囲を主要被写体として抽出する主要被写体抽出部と、前記第２画像に対して前記主要被写体以外の範囲にぼかし処理を施すフィルタ処理回路と、を備えればよい。
【００１３】
オートブラケティング撮影のように露出を変えて撮影をしたと同じ効果が得られる複数の画像を表示してもよい。この場合、指定操作部に露出補正値が指定される。そして、複数の信号処理部では、露出補正値に基づいて明るさの異なる画像を各々作ればよい。
【００１４】
種々の撮影条件を組み合わせた撮影モードを選んで撮影をしたと同じ効果が得られる複数の画像を表示してもよい。この場合、指定操作部に複数の撮影モードを指定する。そして、複数の信号処理部では、各撮影モードで撮影したと同じ効果が得られる画像を各々作ればよい。このとき、スルー画像を取り込み時に、値の大きい方の絞り値をメカシャッタにセットし、かつ、一番速い方のシャッタ速度に相当するフレームレートで撮像センサを駆動するとともに、露出不足になるときにはＩＳＯ感度を上げて適正な露出に補正する手段を備える。
【００１５】
また、撮影モードの指定としては、過去に選択した撮影モードを記憶する記憶部を備え、記憶部から読み出した撮影モードのうちの頻度の高い撮影モードを順に自動的に指定するようにしてもよい。
【００１６】
カメラを縦位置に構えて撮影した画像と、横位置に構えて撮影した画像と同じ効果が得られる縦長及び横長の画像を同時に表示してもよい。この場合、縦位置撮影又は横位置撮影が撮影条件として指定される。そして、複数の信号処理部としては、縦位置撮影画面になるようにトリミング処理を施す第１の信号処理部と、横位置画面になるようにトリミング処理を施す第２の信号処理部と、を備えればよい。この場合、横長のアスペクト比になっている受光面をもつ撮像センサで撮像した画像にトリミング処理を施して縦長画面の画像を生成してもよい。なお、受光面が正方形になっている撮像センサを用いれば、どちらも撮影画角が変わらないため、好適である。
【発明の効果】
【００１７】
本発明では、撮像センサで撮影した被写体の画像に基づいて、指定操作部で指定した撮影条件又は撮影モードで撮影したと同じ効果が得られる複数の画像を並行して各々作る複数の信号処理部を設けたから、事前に表示する複数の画像を迅速に表示することができる。
【発明を実施するための最良の形態】
【００１８】
以下に、本発明の実施態様について、図を引用しながら詳細に説明する。ただし、本発明はここに挙げる実施態様に限定されるものではない。
【００１９】
本発明の撮像装置を用いた電子カメラ１０は、オートフォーカス機能を備えており、図１に示すように、撮影レンズ１１、絞り兼用のメカシャッタ１２、撮像センサ１３、アナログ・フロントエンド（ＡＦＥ）１４、デジタル信号処理回路１５、ＣＰＵ１６、ＴＧ１７、Ｖドライバ１８、伸長・圧縮部１９、記録部２０、表示制御部２２、及び、シャッタボタン２３、モード選択操作部２４などで構成されている。なお、図１においては、本発明の説明に係わらない部分、例えば撮影レンズ１１のピント調節機構や電源回路などを省略してある。
【００２０】
ＡＦＥ１４は、ＣＤＳ（相関二重サンプリング）２５、ＡＧＣ（自動ゲイン調整アンプ）２６、Ａ／Ｄ変換器２７からなり、撮像センサ１３から得られる画像信号は、ＡＦＥ１４でデジタル化されてデジタル信号処理回路１５に送られる。デジタル信号処理回路１５にはＹ／Ｃ処理回路が設けられ、Ｙ／Ｃ処理回路は輝度信号と色差信号とを生成する。生成した輝度信号と色差信号とは、伸長・圧縮部１９に送られ、ここで所定の圧縮形式にエンコードされ、エンコードした画像データは記録部２０で一つのファイル形式としてカードメモリなどの記録媒体に記録される。ＡＧＣ２６はゲイン量を可変でき、ＣＰＵ１６がＡＧＣ２６のゲイン量を設定する。タイミングジェネレータ（ＴＧ）１７は、ＡＦＥ１４、及び、Ｖドライバ１８にパルスを供給して同期駆動させる。
【００２１】
露光終了後、メカシャッタ１２で遮光し、この間にＡＦＥ１４を経た画像データは、デジタル信号処理回路１５を経由してＲＡＭ２８に一度記憶される。このとき同時にデジタル信号処理回路１５に設けたオートホワイトバランス処理回路、及び、ＡＥ・ＡＦ処理回路により、色温度、被写体輝度、及び、被写体距離などの情報を抽出し、その情報をＣＰＵ１６に送る。ＣＰＵ１６は、これら情報に基づいてデジタル信号処理回路１５での画像処理、撮影レンズ１１のピント位置調節、メカシャッタ１２の絞り調節及び開閉時間、及び、ＡＧＣ２６のゲイン量調節などを制御する。
【００２２】
デジタル信号処理回路１５は、ＲＡＭ２８に１フレーム分の画像データを記録し、再度読み出しながら画像処理を行った後に、Ｙ／Ｃ処理回路により輝度信号と色差信号とからなる画像データに変換する。この画像データは、表示制御部２２に送られる。表示制御部２２では、通常の一画面表示用の画像、又は、撮影条件を変えた複数の子画像を複数並べて一画面に表示するための画像を、作成する処理を施す。表示制御部２２から出力される画像データは、ＬＣＤドライバ２９に送られ、ここでＬＣＤ表示用の駆動信号に変換される。これにより、スルー画像がＬＣＤ３０にリアルタイムで表示される。このＬＣＤ３０の画面３０ａは、電子カメラ１０の外部、例えば背面に設けられており、例えば横長のアスペクト比の画面になっている。
【００２３】
シャッタボタン２３及びモード選択操作部２４はＣＰＵ１６にそれぞれ接続されている。ＣＰＵ１６は、各部を統括的に制御しており、シャッタボタン２３の半押し操作に連動してデジタル信号処理回路１５から被写体距離の情報を取得して撮影レンズ１１のピント位置を調節するように制御する。また、被写体輝度の情報を取得して適正露出になるようにメカシャッタ１２の絞り径及び開閉時間の調節を制御する。また、ＣＰＵ１６には、作業メモリ用のＲＡＭ３１と、予め各種プログラムを記憶したＲＯＭ３２とが接続されている。
【００２４】
モード選択操作部２４は、撮影条件を変える操作、又は、複数の撮影モードのうちのいずれかを選択する操作部である。
【００２５】
［第１実施形態］
第１実施形態は、異なるシャッタ速度で撮影したときと同じ画像を複数並べて表示して、シャッタ速度の違いから得られる効果を事前に確認する例である。例えば、シャッタ速度優先モードを選択すると、第１のシャッタ速度で撮像したときの画像と、第２のシャッタ速度で撮像したときの画像との２つの画像が、ＬＣＤ３０の一画面内に並べてスルー画像として表示される。これにより、シャッタースピードの違いによる被写体の動感を撮影前に確認することができる。
【００２６】
ＣＰＵ１６は、シャッタ速度優先モードの選択に応答して、ドライバ３３を介してサブＬＣＤ３４に第１のシャッタ速度と第２のシャッタ速度とを指定させる画面を表示する。図２に示すように、電子カメラ１０の電源をＯＮした後に、シャッタ速度優先モードを選択する。すると、サブＬＣＤ３４に第１のシャッタ速度を指定する画面が表示される。指定すると、第１のシャッタ速度がＲＡＭ３１に保存される。次に、サブＬＣＤ３４にシャッタ速度を変更するか否かの画面表示が出る。ここで「変更する」を選択すると、２画面の画像をスルー画像でそれぞれ表示する確認表示モードになる。なお、「変更しない」を選べば、通常の１画面のスルー画像を表示する通常表示モードになる。
【００２７】
「変更する」を選択すると、第２のシャッタ速度を指定する画面がサブＬＣＤ３４に表示される。第２のシャッタ速度を指定すると、その値がＲＡＭ３１に保存される。異なる２つのシャッタ速度を指定した後には、ＣＰＵ１６が、両者を比較して速い方のシャッタ速度に相当するフレームレートで撮像センサ１３を駆動する。例えばシャッタ速度１が「１／２５６」、シャッタ速度２が「１／８」の場合には、「２５６fps」のフレームレートで撮像センサ１３を駆動する。
【００２８】
表示制御部２２は、第１信号処理部３６、第２信号処理部３７、遅延回路３８、及び、画像合成部３９で構成されており、ＣＰＵ１６により制御される。シャッタ速度優先モードを選択したときには、デジタル信号処理回路１５から送られてくるオリジナルの画像データが、第１及び第２信号処理部３６，３７にそれぞれ入力される。第１信号処理部３６は、速い方のシャッタ速度で撮影したのと同じ画像を作成し、また、第２信号処理部３７は、遅い方のシャッタ速度で撮影したのと同じ画像を作成する。画像処理を施した各画像データは画像合成部３９で一画面用の画像データに合成される。ＬＣＤ３０には、図３に示すように、一画面３０ａに２つの子画面４０，４１が表示される。第１信号処理部３６で作成した画像は子画面４０に、第２信号処理部３７で作成した画像は子画面４１にそれぞれ表示される。
【００２９】
第１信号処理部３６は、図４に示すように、フレーム間引処理回路４２を持っており、オリジナルの画像データに対してフレーム間引き処理を行ってＬＣＤ３０のフレームレートに変換する。例えば、オリジナルの画像データのフレームレートが「２５６fps」であり、ＬＣＤドライバ２９がＬＣＤ３０を駆動するフレームレートが「３２fps」の場合、ＬＣＤ３０のフレームレートに合わせるためには、３２／２５６＝８、すなわち、８フレーム間毎に一つのフレームを抽出すればよい。そこで、オリジナルの画像データの１フレーム目の画像を８フレーム相当の時間だけ表示し、次の９フレーム目の画像を８フレーム相当の時間だけ表示する。この処理を繰り返すことで、８フレーム毎に画像が更新して表示される。このように、撮像センサ１３のフレームレートがＬＣＤ３０のフレームレートよりも早い場合には、フレーム間引き処理を施してＬＣＤ３０と同じフレームレートの画像を作る。これにより、ＬＣＤ３０のフレームレートで見かけ上被写体ブレの無い画像をスルー画像として表示することができる。
【００３０】
第２信号処理部３７は、遅い方のシャッタ速度で撮影した画像をスルー画像として表示するために画像処理を行うものであり、信号レベル圧縮回路４３と合成処理回路４４とを備える。合成処理回路４４は、遅い方のシャッタ速度で撮影した画像と同じになるように、フレームを重ね合わせ（合成）処理を行って被写体ブレが生じる画像を作る。例えば、第２シャッタ速度が「１／８秒」の場合、これに相当するフレームレートが「８ｆｐｓ」、また、オリジナルの画像データのフレームレートが「２５６ｆｐｓ」の場合、２５６／８＝３２、すなわち、３２フレーム毎に１つの画像を作ればよいので、３２フレーム単位で画像を加算して１秒間に８フレームの画像を作り、１／８秒毎に画像を更新してＬＣＤ３０に表示する。この場合、画像データの信号レベルが高いと合成処理が遅くなるおそれがあるため、合成処理の前に信号レベル圧縮回路４３でオリジナルの画像データの信号レベルを「１／３２」に圧縮している。このように、遅い方のシャッタ速度に相当するフレームレートがＬＣＤ３０のフレームレートよりも遅い場合には、フレーム加算処理を施してＬＣＤ３０と同じフレームレートの画像を作ってブレのある画像を作ることができる。また、第１信号処理部３６の処理時間よりも第２信号処理部３７の方が、処理時間が遅れるおそれがあるため、第１信号処理部３６の後に遅延回路３８を設け、画像合成部３９に入力される画像データの時間を合わせている。
【００３１】
子画面４０には、高速シャッタで撮影したものと同じ効果が得られるスルー画像が、また、子画面４１には低速シャッタで撮影したものと同じ効果が得られるスルー画像がそれぞれ映る。これにより、シャッタ速度を変えた結果期待される画像を撮影前から本撮影までの間で比較検討することができる。なお、通常の１画面のスルー画像を表示する場合には、第１信号処理部３６又は第２信号処理部３７をスルーさせてＬＣＤドライバ２９に画像データを送ればよい。この場合には、画像合成部３９を作動させることはない。
【００３２】
ＬＣＤ３０は、マトリクス・スイッチ４５を組み込んだタッチパネル式になっている。マトリクス・スイッチ４５は、ＣＰＵ１６に接続されており、ＣＰＵ１６は、２つの子画面４０，４１のうちのいずれか一方の子画面の領域内からの位置信号を受け取ることで、タッチした領域にある子画像に対応するシャッタ速度をセットするとともに、その子画面をＬＣＤ３０の画面いっぱいに表示するように制御する。その後、シャッタレリーズがなされると、セットしたシャッタ速度でメカシャッタ１２が制御されて本撮影が行われる。
【００３３】
上記実施形態では、第１及び第２信号処理部３６，３７の構成が異なっているが、本発明ではこれに限らす、同じ構成、つまり、フレーム間引処理回路４２、信号レベル圧縮回路４３、及び合成処理回路４４の全部を設けた構成にし、指定されるシャッタ速度に応じてどの信号処理部３６，３７で処理するかを選択的に決め、各信号処理部での処理を個別に制御すればよい。
【００３４】
また、上記実施形態では、異なる２つのシャッタ速度を入力して２つの子画面４０，４１を並べて表示しているが、異なる３つ以上のシャッタ速度を入力して３つ以上の子画像を並べて表示してもよい。この場合には、その数の分だけ信号処理部を設ける。信号処理部は、フレーム間引処理回路４２、信号レベル圧縮回路４３、及び合成処理回路４４の全部を設けた構成にしておけばよい。
【００３５】
また、超低速のシャッタ速度を指定した場合、第２信号処理部３７でフレーム加算処理を施した画像では、動く被写体が消えてしまうおそれがある。この場合には、動くものだけを強調表示するように画像処理してもよい。例えば、前記第２信号処理部３７に切り出し手段と強調表示手段とを設け、予め決められている超低速シャッタ速度、例えば１／８秒より以下のシャッタ速度が指定された場合、動く被写体が表示できる限界のシャッタ速度、例えば１／８秒のシャッタ速度で撮影した画像と同じ効果が得られる画像データを前述したと同じ処理で作り、この画像データから切り出し手段で動く被写体を切り出し、切り出した被写体を強調表示手段で強調表示した画像データを作ってＬＣＤ３０に表示する。強調表示としては、例えば動く被写体を明滅させる表示や色を変える表示等、いずれでもよい。
【００３６】
［第２実施形態］
第２実施形態は、異なる絞りで撮影したのと同じ画像を複数並べて表示する例である。この場合、例えば、絞り優先モードを選択する。ＣＰＵ１６は、絞り優先モードの選択に応答して、サブＬＣＤ３４に異なる絞り値、例えば第１の絞り値と第２の絞り値とを指定させる画面を表示する。図５に示すように、電子カメラ１０の電源をＯＮした後に、絞り優先モードを選択すると、サブＬＣＤ３４に第１の絞り値を指定する画面が表示される。指定すると、第１の絞り値がＲＡＭ３１に保存される。次に、サブＬＣＤ３４に絞り値を変更するか否かの画面表示が出る。ここで「変更する」を選択すると、確認表示モードになる。なお、「変更しない」を選べば、通常表示モードになる。
【００３７】
「変更する」を選択すると、第２の絞り値を指定する画面がサブＬＣＤ３４に表示される。第２の絞り値を指定すると、その値がＲＡＭ３１に保存される。ここでは、第１の絞り値を「Ｆ１１」（値の大きい方の絞り値）、第２の絞り値を「Ｆ２．８」（値の小さい方の絞り値）とする。
【００３８】
図６に示すように、表示制御部４７には、第１及び第２信号処理部４８，４９、遅延回路３８、及び、画像合成部３９が設けられている。第２信号処理部４９は、指定した絞り値のうちの値の小さい方の絞り値で撮影したのと同じ画像を作るためのもので、主要被写体抽出部５０、ＲＡＭ５１、及び、フィルタ処理回路５２を備えている。これら第１及び第２の信号処理部４８，４９はＣＰＵ１６により制御される。
【００３９】
絞り値を指定した後には、ＣＰＵ１６が、両者のうちの値の大きい方の絞り値をメカシャッタ１２にセットする。この間に主要被写体抽出部５０は、１フレーム分の画像データ（第１画像データ）をＲＡＭ５１に保存する。その後、ＣＰＵ１６は、値の小さい方の絞り値をメカシャッタ１２にセットする。この間に主要被写体抽出部５０は、１フレーム分の画像データ（第２画像データ）をＲＡＭ５１に保存する。主要被写体抽出部５０は、ＲＡＭ５１に記憶した２つの画像を比較して、輪郭成分の変化が少ない範囲を主要被写体の範囲と判断し、それ以外の範囲を前ボケ及び後ボケに指定する。この情報は、フィルタ処理回路５２に送られる。なお、逆に輪郭成分の変化が大きいボケ範囲を抽出してもよい。
【００４０】
主要被写体の範囲を抽出した後には、値の大きい方の絞り値をメカシャッタ１２にセットする。オリジナルの画像データは、その絞り値で撮影した画像で送られてくる。第１信号処理部４８は、値の大きい方の絞り値で撮影した画像を作るためのもので、ここではオリジナルの画像データが値の大きい方の絞り値で撮影した画像であるので、そのままスルー画出力する。
【００４１】
第２信号処理部４９では、フィルタ処理回路５２で主要被写体の範囲以外、すなわち、ボケ範囲にぼかし処理を施す。ぼかし処理は、近傍の画素にぼかしフィルタ（ローパスフィルタ）をかけることによって画像をぼかす処理である。ぼかしフィルタとしては、単純に周辺画素との重み平均を取ったフィルタでよい。これにより、第２信号処理部４９から得られる画像は、背景などがボケた画像になる。なお、第２信号処理部４９ではフィルタ処理を行うため、画像合成部３９に入力される両者の画像データの時間を合わせるために、第１信号処理部４８の後に遅延回路３８を設けている。
【００４２】
これにより、図７に示すように、ＬＣＤ３０の画面３０ａには、値の小さい方の絞り値で撮影したのと同じ効果が得られるスルー画像を映す子画面５３と、値の大きい方の絞り値で撮影したのと同じ効果が得られるスルー画像を映す子画面５４とが同時に表示される。これにより、絞り値を変えた結果期待される近景と遠景との被写体のボケ画像を撮影前から本撮影までの間で比較検討することができる。なお、通常表示モードの場合には、第１信号処理部４８でスルー画出力させればよい。この場合には、本撮影と同じ絞り値がメカシャッタ１２にセットされる。
【００４３】
ＬＣＤ３０の画面３０ａに表示される２つの子画面５３，５４のうちのいずれか一方の領域をタッチすることで、その子画面に対応する絞りがセットされるとともに、その子画面を画面３０ａいっぱいに表示するように制御する。その後、シャッタレリーズがなされると、セットした絞りになるようにメカシャッタ１２が制御されて本撮影が行われる。
【００４４】
なお、上記実施形態では、値の大きい方の絞り値で撮影したと同じ画像を第２信号処理部４９で作っているが、第１信号処理部４８で作ってもよい。この場合には、第１信号処理部４８を第２信号処理部４９と同じ構成にすればよい。そして、値の小さい方の絞り値で撮影した画像を作る方の信号処理部でスルー画出力すればよい。また、２つの絞り値を入力することで対応する２つの画像を並べて表示しているが、３以上の絞り値を入力して３つ以上の画像を並べて表示してもよい。この場合には、その数の分だけ信号処理部を設ければよい。
【００４５】
［第３実施形態］
実施形態３では、オートブラケティング撮影で得られるものに相当する複数の画像を事前に作ってＬＣＤ３０に表示する例である。この実施形態では、予め露出シフト量（露出補正量）と露出ステップ（露出の補正幅）とを入力することで、現時点の適正露出に対して前記露出シフト量の分だけずらした露出値（中央の露出値）で撮影したものと同じ明るさの画像と、前記中央の露出値を基準に対して前記露出ステップの分だけずらした露出値で撮影したものと同じ明るさの２つの画像と、の３つの画像（３段階露出補正画像）をＬＣＤ３０に並べて表示する。
【００４６】
図８に示すように、表示制御部５５は、第１ないし第３の信号処理部５６〜５８が設けられており、オリジナルの画像データは、第１ないし第３の信号処理部５６〜５８にそれぞれ送られる。第１の信号処理部５６では、１段階目の露出補正で撮影したものと同じ明るさになるように、オリジナルの画像データを明るさ調整する。第２の信号処理部５７では、２段階目の露出補正で撮影したものと同じ明るさになるように、オリジナルの画像データを明るさ調整する。第３の信号処理部５８では、３段階目の露出補正で撮影したものと同じ明るさになるようにオリジナルの画像データを明るさ調整する。これら第１〜第３の信号処理部５６〜５８はＣＰＵ１６により制御される。なお、露出シフト量を「０ＥＶ」、すなわち「なし」を設定した場合、この画像を作る信号処理部は、画像データをスルー画出力する。
【００４７】
図９に示すように、露出補正モードを選択することで露出量の変更が指示され、サブＬＣＤ３４に露出シフト量を入力する画面が表示される。露出シフト量を入力すると、次に、露出ステップを入力する画面が表示される。この露出ステップを入力することで確認表示モードになる。ここでは、例えば露出シフト量を「＋１ＥＶ」、露出ステップを「±１ＥＶ」に設定する。
【００４８】
これにより、第１の信号処理部５６では、１段階目の露出補正が「±０」になるので、オリジナルの画像データに対して明るさ調整を行わずにスルー画処理する。第２の信号処理部５７では、２段階目の露出補正が「＋１ＥＶ」になるので、「＋１ＥＶ」の露出値で撮影したものと同じ明るさになるように、オリジナルの画像データを明るさ調整する。第３の信号処理部５８では、３段階目の露出補正が「＋２ＥＶ」になるので、「＋２ＥＶ」の露出値で撮影したものと同じ明るさになるようにオリジナルの画像データを明るさ調整する。第１ないし第３信号処理部５６〜５８から得られる画像データは、画像合成部３９に送られ、ここで画像合成処理が行われてＬＣＤドライバ２９に送られる。これにより、ＬＣＤ３０の画面３０ａには、明るさの異なる３つの子画面が並べて表示される。
【００４９】
ＬＣＤの画面３０ａに表示される３つの子画面のうちのいずれか一方の領域をタッチすることで、その子画像に対応する露出値がセットされるとともに、その子画面をＬＣＤ３０の画面３０ａいっぱいに表示するように制御する。その後、シャッタレリーズがなされると、セットした露出値になるようにメカシャッタ１２、撮像センサ１３、ＩＳＯ感度、及び、ＡＧＣ等の駆動が制御されて本撮影が行われる。
【００５０】
なお、露出シフト量の入力を省略し、ＬＣＤ３０の画面３０ａに映る３つの子画面のうちの両サイドの子画面をタッチすることで、タッチした画像を中央に表示し、その画像の露出値を基準に、露出をシフトした画像を両サイドに表示するようにしてもよい。例えば、図１０（ａ）に示した露出値Ｅの画像を映す子画面をタッチすると、同図（ｂ）に示すように、露出値Ｅの画像を映す子画面が画面３０ａの中央の位置に表示され、これに対して左右の画像は、露出ステップの分だけ補正した画像がそれぞれ表示される。中央の子画面には、第２の信号処理部５７で作った画像が表示される。これに対して左サイドの子画面には、第１の信号処理部５６で作った画像が、また、右サイドの子画面には、第３の信号処理部５８で作った画像がそれぞれ表示される。ＣＰＵ１６は、マトリクス・スイッチ４５を監視し、中央及び左右に位置する子画面に対応する露出値に基づいて第１〜第３の信号処理部５６〜５８での明るさ調節を個別に制御する。
【００５１】
なお、上記実施形態では、３段階の露出補正をした３つの画像を並べて表示しているが、２段階、又は４段階以上の露出補正をした２つ、又は４つ以上の画像を並べて表示してもよい。この場合には、その数と同じ分だけ信号処理部を設ければよい。
【００５２】
また、上記実施形態では、第１〜第３の信号処理部を備えているが、これらを省略し、オリジナルの画像データを３つの子画面を並べて表示し、その表示時に子画面の範囲毎にＬＣＤの輝度を変えて表示して、異なる露出で撮影したと同じ効果が得られるようにしてもよい。
【００５３】
［第４実施形態］
第４実施形態では、シーンモード（撮影モード）に対応する複数の画像を事前に表示する例である。シーンモードは、絞り、シャッタ速度、感度などの複数の撮影条件の組み合わせにより各シーンで最適な設定となるように自動撮影を行うモードである。シーンモードには、例えば風景モード、スポーツモード、ポートレートモードなどがある。
【００５４】
風景モードは、ディテールがくっきりと写せるように絞りを絞り込むモードである。スポーツモードは、シャッタ速度を稼ぐためにＩＳＯを上げて高速シャッタで撮影するモードである。ポートレートモードは、絞りを開き気味にして被写体以外の背景をぼかして撮影を行うモードである。
【００５５】
この実施形態では、シーンモードはモード選択操作部２４により予め３つ選択される。この選択数に応じた数だけ信号処理部が設けられており、各信号処理部のうちのいずれで各シーンモードに対応する画像を作るかを決める。
【００５６】
図１１に示すように、表示制御部６０には、第１〜第３の信号処理部６１〜６３が設けられている。第１信号処理部６１は、ＬＣＤ３０に表示する３つの子画面のうちの第１子画面に映すスルー画像を作る。第２信号処理部６２は、第２子画面に映すスルー画像を作る。第３信号処理部６３は、第３子画面に映すスルー画像を作る。ＣＰＵ１６は、選択した第１〜第３のシーンモードに基づいて、処理する信号処理部を決める。各信号処理部６１〜６３から得られる画像データは、画像合成部３９で合成されて一画面３０ａに並んで表示される３つの子画面にそれぞれ映る。
【００５７】
また、ＣＰＵ１６は、選択したシーンモードに基づいて撮像センサ１３から取り込むときの撮影条件を決める。確認表示モードで取り込む時の撮影条件は、選択したシーンモードを構成する撮影条件のうちの値が最も小さい絞り値、及び、最も速いシャッタ速度を選択する。そして、露出不足になる分はＩＳＯ感度を上げて適正露出に補正する。
【００５８】
第１の信号処理部６１は、信号レベル圧縮回路６４、合成処理回路６５、主要被写体抽出部６６、ＲＡＭ６７、及び、フィルタ処理回路６８等で構成されている。合成処理回路６５は、第１実施形態で説明したように、取り込み画像よりも遅い方のシャッタ速度で撮影した画像と同じになるように、フレームを重ね合わせ（合成）処理を行って被写体ブレが生じる画像を作る。この場合、画像データの信号レベルが高いと合成処理が遅くなるおそれがあるため、合成処理の前に信号レベル圧縮回路６４でオリジナルの画像データの信号レベルを圧縮する。
【００５９】
主要被写体抽出部６６、ＲＡＭ６７、及び、フィルタ処理回路６８は、第２実施形態で説明したように、値の大きい方及び小さい方の絞り値をそれぞれメカシャッタ１２にセットしたときに得られる１フレーム分の画像データをＲＡＭ６７に各々取り込み、主要被写体抽出部６６で主要被写体又はそれ以外の範囲の領域を抽出し、フィルタ処理回路６８で主要被写体以外の範囲、すなわち、ボケ範囲にぼかし処理を施して、背景などがボケた画像を作る。第１〜第３の信号処理部６１〜６３では、複数のシーンモードのうちのどのシーンモードに対応する画像を作るか分からない。そこで、第２及び第３の信号処理部６２，６３は、第１信号処理部６１と同じ構成になっている。そして、各信号処理部６１〜６３を構成する複数の内部回路のうちのいずれを作動するか否かをＣＰＵ１６が制御して、選択したシーンモードに対応する画像を各々作る。なお、各信号処理部６１〜６３には、画像合成部３９に入力される画像データの時間を合わせるために、遅延回路３８が各々設けられている。
【００６０】
図１２に示すように、ＣＰＵ１６は、電源をＯＮすると、最近使用したシーンモードを２つ確認する。これは、以前に選択したシーンモードをＣＰＵ１６がＲＡＭ３１に記憶していることで確認することができる。次に、確認したシーンモードとは異なるシーンモードに変更する操作が行われることで確認表示モードになる。このとき、変更したシーンモードは、ＲＡＭ３１に記憶される。なお、確認したシーンモードのうちのいずれかのシーンモードを選べば、通常表示モードになる。
【００６１】
確認したシーンモード以外のシーンモードを選ぶことで、モード１〜３が決定する。ここでは、モード１を風景モード、モード２をスポーツモード、モード３をポートレートモードとする。
【００６２】
現時点の被写体輝度に対してモード１は、風景モードであるので、例えば、絞りがＦ１１、シャッタ速度が１／１２８、ＩＳＯが１００に設定される。モード２は、スポーツモードであるので、例えば、絞りをＦ８、シャッタ速度を１／１０２４、ＩＳＯを４００にそれぞれ設定する。モード３は、ポートレートモードであるので、例えば、絞りがＦ１１、シャッタ速度が１／５１２、ＩＳＯが１００にそれぞれ設定される。
【００６３】
ＣＰＵ１６は、モード１〜３に基づいて撮像センサ１３から取り込むときの撮影条件を決める。取り込み時の撮影条件は、モード１〜３を構成する撮影条件のうちの最も大きい絞り値（最小絞り）、及び、最も速いシャッタ速度を選択する。そして、露出不足になるときにはＩＳＯ感度を上げて適正な露出に補正する。よって、この場合には、メカシャッタ１２の絞り値を「Ｆ１１」に設定し、かつ、「１／１０２４秒」のシャッタ速度に相当するフレームレートで撮像センサ１３を駆動して、適正露出になるようにＩＳＯ感度を「８００」に設定する。
【００６４】
スポーツモード及びポートレートモードでは、絞り値が風景モードよりも大きい値のため、主要被写体以外の背景がボケる画像を作る必要がある。そこで、第２実施形態と同じに、ＣＰＵ１６が、値の大きい方及び小さい方の絞り値を時系列にメカシャッタ１２にセットし、各絞り値をセットしたときに主要被写体抽出部６６が１フレーム分の画像データをＲＡＭ６７に各々保存する。主要被写体抽出部６６は、ＲＡＭ６７に記憶した２つの画像を比較して輪郭成分に変化の少ない範囲を主要被写体と判断し、それ以外の範囲を前ボケ及び後ボケに指定する。この情報をフィルタ処理回路６８に送る。
【００６５】
主要被写体を抽出した後には、メカシャッタ１２を先に決定した「Ｆ１１」の絞り値になるように制御する。オリジナルの画像データは、第１〜第３の信号処理部６１〜６３に各々読み出される。第１信号処理部６１では、風景モードに対応する画像を第１子画面に表示するための画像データを作る。つまり、信号レベル圧縮回路６４でオリジナルの画像データの信号レベルを「１／８」に圧縮する。その後、合成処理回路６５では、フレームを重ね合わせ（合成）処理を行って被写体ブレが生じる画像を作る。例えば、風景モードのシャッタ速度が「１／１２８秒」の場合、これに相当するフレームレートが「１２８ｆｐｓ」になり、また、オリジナルの画像データのフレームレートが「１０２４ｆｐｓ」である場合、１０２４／１２８＝８、すなわち、８フレーム毎に１つの画像を作ればよいので、８フレーム単位で画像を加算して１秒間に８フレームの画像を作り、４フレーム毎に画像を更新してＬＣＤに表示する。
【００６６】
第２の信号処理部６２では、スポーツモードに対応する画像を第２子画面に表示するための画像データを作る。つまり、フィルタ処理回路６８で主要被写体以外の範囲、すなわち、ボケの範囲にぼかし処理を施す。このときのぼかし処理は、スポーツモードの絞り値が、風景モードの絞り値より小さく、ポートレートモードの絞り値よりも大きい値であるので、中位のぼかし強さ（ぼかし量レベル１）で処理する。この処理を施した後に、例えばＬＣＤ３０が３２フレームレートの場合には３２フレーム毎に画像を更新してＬＣＤ３０に表示する。これにより、第２信号処理部６２から得られる画像は、背景などがボケた画像になる。
【００６７】
第３の信号処理部６３では、ポートレートモードに対応する画像を第３子画面に表示するための画像データを作る。つまり、信号レベル圧縮回路６４でオリジナルの画像データの信号レベルを「１／２」に圧縮する。その後、合成処理回路６５では、フレームを重ね合わせ（合成）処理を行って被写体ブレが生じる画像を作る。例えば、ポートレートモードのシャッタ速度が「１／５１２秒」の場合、これに相当するフレームレートが「５１２ｆｐｓ」になり、また、オリジナルの画像データのフレームレートが「１０２４ｆｐｓ」である場合、１０２４／５１２＝２、すなわち、２フレーム毎に１つの画像を作ればよいので、２フレーム単位で画像を加算して１秒間に２フレームの画像を作る。その後に、フィルタ処理部で主要被写体以外の範囲、すなわち、ボケの範囲にぼかし処理を施して、主要被写体以外の背景をボカした画像を作る。このときのぼかし処理は、ポートレートモードの絞り値が、他のモードの絞り値よりも最も小さい値なので、高位のぼかし強さ（ぼかし量レベル２）で処理する。この処理を施した後に、１６フレーム毎に画像を更新してＬＣＤ３０に表示する。
【００６８】
各信号処理部６１〜６３にある遅延回路３８は、画像合成部３９に入力される画像データの時間を合わせるようにＣＰＵ１６により個別に制御される。画像合成部３９は、各信号処理部６１〜６３から得られる画像データを一つの画面３０ａ内に並べて表示するように合成する。第１の子画面には、風景モードの撮影条件で撮影したと同じ効果が得られる画像（スルー画像）が、第２の子画面にはスポーツモードの撮影条件で撮影したと同じ効果が得られる画像が、第３の子画面にはポートレートの撮影条件で撮影したと同じ効果が得られる画像がそれぞれ表示される。ＬＣＤ３０をタッチして選択した子画面に対応するシーンモードが本撮影用の設定になる。同時にタッチした子画面の画像が画面３０ａいっぱいに拡大して表示される。
【００６９】
上記第４実施形態では、使用頻度の高い２つのシーンモードとは異なるシーンモードを選択するとこで、確認表示モードになるが、本発明ではこれに限らず、例えば確認表示モードを選択し、その後に、３つのシーンモードを選択するようにしてもよい。また、ＲＡＭ３１から読み出したシーンモードのうちの頻度の高いシーンモードから順に自動的に選択されるようにしてもよい。さらに、子画面の個数としては、３つ以外に２つ、又は４つ以上でもよい。この場合、その個数の分だけ信号処理部を設ければよい。さらに、シーンモードとしては、風景、スポーツ、及び、ポートレートなどに限らず、例えば花火・ビーチ・スノー・夕焼け・美術館・パーティー・花の接写・文字など周知のものを採用してもよい。
【００７０】
また、上記第１ないし第４実施形態では、デジタル信号処理回路１５で一般的な画像処理を行い、その後に、第１及び第２信号処理部で撮影条件又は撮影モードで撮影したと同じ効果が得られる画像を作るようにしているが、デジタル信号処理回路１５に、第１及び第２信号処理部の機能を持たせた構成にしてもよい。撮影準備状態のときには、撮影条件又はモードで撮影したと同じ効果が得られる画像を作り、本撮影のときには、一般的な画像処理のみを施せばよい。
【００７１】
［第５実施形態］
第５実施形態では、略正方形の受光面をもつ撮像センサで撮像した被写体の画像を、縦長の画面（縦位置で撮影したのと同じ画面）、及び、横長の画面（横位置で撮影したのと同じ画面）にそれぞれ切り出して、縦位置撮影及び横位置撮影をしたのと同じ画面を事前に並べて表示する例である。
【００７２】
この例の場合には、図１３に示すように、図１で説明したデジタル信号処理回路１５から得られるオリジナルの画像データがビデオメモリ７５にいったん記憶され、ビデオメモリ７５から読み出した画像データが表示制御部７０に送られる。表示制御部７０には、第１及び第２の信号処理部７１，７２が設けられている。第１信号処理部７１は縦位置用トリミング処理回路に、また、第２信号処理部７２は横位置用トリミング処理回路にそれぞれなっている。縦位置用トリミング処理回路は、正方形の画面になっている画像データに対して、画面の左右をトリミングして縦長の画面にトリミング処理する。横位置用トリミング処理回路は、正方形の画像データに対して、画面の上下をトリミングして横長の画面にトリミング処理をする。なお、両画面のアスペクト比は同じにするのが望ましい。
【００７３】
図１４に示すように、電源をＯＮした後に、撮影条件として縦・横位置表示モードを指定することで確認表示モードに切り替わる。これにより、オリジナルの画像データが第１及び第２の信号処理部７１，７２にそれぞれ送られ、第１及び第２の信号処理部７１，７２でそれぞれトリミング処理が施される。第１及び第２の信号処理部７１，７２から得られる画像データは、画像合成部３９で合成された後に、ＬＣＤドライバ２９に送られる。これにより、ＬＣＤ３０の画面３０ａには、図１５に示すように、第１子画面７３には、第１の信号処理部７１で処理した横長の画面のスルー画像が表示され、また、第２子画面７４には、第２の信号処理部７２で処理した縦長の画面のスルー画像が表示される。
【００７４】
このように、正方形の受光面をもつ撮影センサを用い、画像データの表示エリアを正方形にしていから、縦長及び横長の画面にそれぞれトリミングしても、子画面に映る被写体画像の撮影画角が変わることがない。
【００７５】
所望する方の子画面をタッチすることで、その子画面がＬＣＤ３０の画面３０ａいっぱいに表示されるとともに、その子画面に対応するトリミング範囲が設定される。本撮影のときの記録用の画像データは、第１又は第２の信号処理部７１，７２から得られる画像データを利用してもよい。もしくは、本撮影時の画像データを、図１で説明したデジタル信号処理回路１５でトリミング処理したものを記録用の画像データとして利用してもよい。さらに、撮影用の露光開口の一部を機械的にマスクして横長及び縦長の画面に変える被写体光用マスク機構を設け、本撮影の時だけ被写体光用マスク機構を制御するようにしてもよい。なお、横長又は縦長の受光面をもつ撮像センサ１３を用いてもよい。
【００７６】
上記各実施形態では、ＬＣＤ３０の一画面に複数の子画面を表示しているが、複数のＬＣＤを設けて各信号処理部で作った画像を各ＬＣＤに表示するようにしてもよい。
【００７７】
上記では、第１〜第５実施形態について各々説明しているが、本発明では、第１〜第５実施形態のいずれか１つ、又は２つ以上の実施形態を備えている電子カメラとしてもよい。また、本発明の表示制御装置を電子カメラ１０に用いているが、カメラ付き携帯電話やビデオカメラに用いてもよい。また、電子ビューファインダを設けた写真カメラにも採用することができる。
【図面の簡単な説明】
【００７８】
【図１】本発明の表示制御装置を用いた電子カメラの概略を示すブロック図であり、異なるシャッタ速度で撮影したのと同じ画像をＬＣＤに複数並べて表示する第１実施形態を示している。
【図２】第１実施形態の操作手順を示すフローチャート図である。
【図３】第１実施形態で表示される画面を示す説明図である。
【図４】第１実施形態の表示制御部の詳細を示すブロック図である。
【図５】異なる絞り値で撮影したのと同じ画像をＬＣＤに複数並べて表示する第２実施形態の操作手順を示すフローチャート図である。
【図６】第２実施形態の表示制御部の詳細を示すブロック図である。
【図７】第２実施形態で表示される画面を示す説明図である。
【図８】異なる露出値で撮影したのと同じ画像をＬＣＤに複数並べて表示する第３実施形態の表示制御部の詳細を示すブロック図である。
【図９】第３実施形態の操作手順を示すフローチャート図である。
【図１０】第３実施形態において、表示画面をタッチすることで露出ステップの基準を設定する例を示す説明図である。
【図１１】異なるシーンモードで撮影したのと同じ画像をＬＣＤに複数並べて表示する第４実施形態の表示制御部の詳細を示すブロック図である。
【図１２】第４実施形態の操作手順を示すフローチャート図である。
【図１３】縦位置と横位置との画像をＬＣＤに複数並べて表示する第５実施形態の表示制御部の詳細を示すブロック図である。
【図１４】第５実施形態の操作手順を示すフローチャート図である。
【図１５】第５実施形態で表示される画面を示す説明図である。
【符号の説明】
【００７９】
１０  電子カメラ
１２  メカシャッタ
１３  撮像センサ
２２,４７，５５，６０，７０  表示制御部
【図１】
2008300949.tif 000003
【図２】
2008300949.tif 000004
【図３】
2008300949.tif 000005
【図４】
2008300949.tif 000006
【図５】
2008300949.tif 000007
【図６】
2008300949.tif 000008
【図７】
2008300949.tif 000009
【図８】
2008300949.tif 000010
【図９】
2008300949.tif 000011
【図１０】
2008300949.tif 000012
【図１１】
2008300949.tif 000013
【図１２】
2008300949.tif 000014
【図１３】
2008300949.tif 000015
【図１４】
2008300949.tif 000016
【図１５】
2008300949.tif 000017